(57)【要約】【課題】内部に空間部を有し上端側が上部放水板によって閉鎖されるヘッド本体部の空間部にメーン送水口を介して上水を供給し、上部放水板に形成されている複数のシャワー放水孔を介して散水するシャワーヘッド。供給される上水の水圧の高低にかかわらず、好ましい水圧、勢いで散水を行うことがでる。【解決手段】少なくとも１個以上の連通孔を有する仕切板によって空間部が散水側空間部と給水側空間部とに分割され、仕切板に形成されている各連通孔に対応する位置に調整孔が形成されている調整板が仕切板の給水側空間部側に摺動自在に配置され、散水側空間部と給水側空間部とは仕切板に形成されている連通孔と調整板における調整孔とを介して連通され、調整板が仕切板の給水側空間部側の面を摺動することにより連通孔を介して給水側空間部から散水側空間部に向けて上水が通過する部分の総断面積の大きさが調整される。【選択図】図５
2009028021.tif 000002
【特許請求の範囲】
【請求項１】
内部に空間部を備えていて上端側が上部放水板によって閉鎖されているヘッド本体部の前記空間部にメーン送水口を介して上水を供給し、これを前記上部放水板に形成されている複数のシャワー放水孔を介して散水するシャワーヘッドにおいて、
少なくとも１個以上の連通孔を有する仕切板によって前記空間部が、前記上部放水板側に形成される散水側空間部と、前記メーン送水口側に形成される給水側空間部とに分割され、
前記仕切板に形成されている各連通孔に対応する位置に調整孔が形成されている調整板が、前記仕切板の前記給水側空間部側に摺動自在に配置され、
前記散水側空間部と給水側空間部とは、前記仕切板に形成されている連通孔と、前記調整板における前記仕切板の各連通孔に対応する位置に形成されている前記調整孔とを介して連通され、
前記調整板が前記仕切板の前記給水側空間部側の面を摺動することにより、前記連通孔を介して給水側空間部から散水側空間部に向けて上水が通過する部分の総断面積の大きさが調整される
ことを特徴とするシャワーヘッド。
【請求項２】
前記調整板は、前記連通孔を介して給水側空間部から散水側空間部に向けて上水が通過する部分の総断面積の大きさを大きくする方向、あるいは小さくする方向に向けて常に付勢力を受けていると共に、
前記調整板は、メーン送水口を介してヘッド本体部の空間部に供給される上水の流れに対して交差する方向に配備されている水量調整片を備えており、
前記水量調整片にあたる前記上水の水圧に応じて、前記調整板が、前記付勢力に抗して、前記上水が通過する部分の総断面積の大きさを小さくする方向、あるいは大きくする方向に摺動する
ことを特徴とする請求項１記載のシャワーヘッド。
【請求項３】
前記給水側空間部の容積の大きさが、散水側空間部の容積の大きさに対して２乃至３倍であって、
前記メーン送水口の上水が通過する断面積の大きさを１００としたときに、前記連通孔を介して給水側空間部から散水側空間部に向けて上水が通過する部分の総断面積の大きさが３８〜４４、前記シャワー放水孔の上水が通過する総断面積の大きさが１２〜１６の関係
であることを特徴とする請求項１又は２記載のシャワーヘッド。
【発明の詳細な説明】
【技術分野】
【０００１】
本発明は、シャワーヘッドに関し、特に、希望する水圧、希望する勢いで散水を行うことができると共に、節水を行なうことが可能な節水型のシャワーヘッドに関する。
【背景技術】
【０００２】
シャワーヘッド、特に、散水の勢いを落とすことなく節水を行なうことが可能な節水型のシャワーヘッドに関しては従来から種々のものが提案されている（例えば、日本国の特許出願公開  特開平８−２６６９４０号公報）。【０００３】
シャワーヘッドの一般的な構造の一例を図１（ａ）〜（ｃ）を参照して説明する。【０００４】
メーン送水口１を介してお湯や水を矢印８方向でヘッド本体部２に供給する。なお、本明細書、特許請求の範囲においてメーン送水口１を介してヘッド本体部２に供給されるお湯や水を「上水」という。【０００５】
ヘッド本体部２は図１（ｂ）、（ｃ）図示のように内部に空間部３を備えている。空間部３の上側（図１（ｂ）中、右側、図１（ｃ）中、上側）は、上部放水板４によって塞がれている。図示の実施例では、ヘッド本体部２の内部に固定部６が形成されている。そして、上部放水板４はその中央部で、ビス７を固定部６に螺合することにより、ヘッド本体部２の上部に嵌合固定され、空間部３の上側が上部放水板４によって塞がれるようになっている。【０００６】
上部放水板４には図１（ａ）図示のように複数のシャワー放水孔５が形成されている。図示の実施形態では、同心円状に、シャワー放水孔５が７１個形成されている。【０００７】
シャワーを使用する場合には、メーン送水口１を介して上水を矢印８方向でヘッド本体部２に供給する。供給された上水は、空間部３、上部放水板４に形成されている複数のシャワー放水孔５を介して勢いよく散水されていく。【０００８】
このような従来のシャワーヘッドの場合には必要以上に多くの上水がシャワー放水孔５から散水されるという問題があった。【０００９】
特に、水圧が強い場合には必要以上に多くの上水が散水され、その状態が毎日、毎日、１年３６５日継続する。そこで、上水の使用量が増加し、水道使用料金が高額にならざるを得ないという問題があった。【００１０】
例えば、地域的に水圧が高い地域や、高層のホテル、マンションにおける低層階でシャワーが使用される場合には、前述したように、上水の使用量が増加し、水道使用料金が高額にならざるを得ないという問題があった。【００１１】
また、水圧が特に高くなくても、個人住宅、マンション、寮、スポーツ施設、理容院、美容院などのようにシャワーを使用する頻度が高かったり、シャワーが設置されている規模が大きいと、毎日少しずつ余分に上水を使用するだけでも、長期間にわたってそれが積もり重なると、大きなコストになる。【００１２】
一方、水圧が低いところでは、水圧と水量が直接的に関係するので、シャワー放水孔５から散水される上水の勢いが弱く、シャワーを使用している者がより多く上水を使用することによって散水の勢いの無さをカバーしようとする。このため、結局、上水の使用量が増えてしまうという問題がある。【００１３】
このように水圧が低くて、かえって上水の使用量が増えるという現象は、地域的に水圧の低い地域、高層のホテル、マンションにおける高層階でシャワーが使用される場合などに発生する。【００１４】
また、このような場合でなくても、同一フロアの床面積が大きいホテル、マンションなどにおいて、同一系統の給水管の使用者が同時刻にシャワーを使用した場合にも前記のような問題が生じる。個人住宅、マンション、寮、スポーツ施設、理容院、美容院であっても、時と場合によっては、水圧が低くなることによる放水の勢いの無さを散水量でカバーしようとして上水の使用量が増えてしまうという問題がある。【００１５】
このような問題を解決するため、ヘッド本体部２の空間部３に、上部放水板４と平行に仕切板を配置した形態のシャワーヘッドが提案されている。これによってヘッド本体部２の空間部３の容積を２つに分割し、この２つに分割された空間の体積を調節することにより、水圧の調整を行うものである。また、仕切板に形成されている孔の大きさ、数と、上部放水板４に形成されているシャワー放水孔５の大きさ、数とを調整して、散水の勢いを落とすことなく節水を行なうことを可能にしようというものである。
【特許文献１】特開平８−２６６９４０号公報
【発明の開示】
【発明が解決しようとする課題】
【００１６】
前述したように、従来のシャワーヘッドの場合、水圧が高い場合であっても、低い場合であっても上水の使用量が必要以上に増えてしまうという問題があった。【００１７】
また、ヘッド本体部の空間部に、上部放水板と平行に仕切板を配置した形態のシャワーヘッドであっても、上水の使用量が必要以上に増えてしまうという問題点を十分に解決するには至っていなかった。【００１８】
また、シャワー放水孔から散水される上水の勢いが強すぎると、使用者はシャワーをあてている皮膚に痛みを感じる。一方、シャワー放水孔から散水される上水の勢いが弱いと、使用者は良好な使用感を得ることができず、シャンプーの落ちが悪くなる、等々の不快感を感じる。【００１９】
そこで、この発明は、ヘッド本体部の空間部に、上部放水板と平行に仕切板を配置した形態のシャワーヘッドに改良を加え、シャワーヘッドに供給される上水の水圧が高い場合であっても、低い場合であっても、好ましい水圧、好ましい勢いで散水を行うことができると共に、節水を行なうことが可能なシャワーヘッドを提供することを目的にしている。
【課題を解決するための手段】
【００２０】
前記目的を達成するため、この発明が提案するシャワーヘッドは、内部に空間部を備えていて上端側が上部放水板によって閉鎖されているヘッド本体部の前記空間部にメーン送水口を介して上水を供給し、これを前記上部放水板に形成されている複数のシャワー放水孔を介して散水するものであって、次のような特徴的な構造を備えている。【００２１】
まず、本発明のシャワーヘッドにおいては、少なくとも１個以上の連通孔を有する仕切板によって前記空間部が、前記上部放水板側に形成される散水側空間部と、前記メーン送水口側に形成される給水側空間部とに分割されている。【００２２】
そして、前記仕切板に形成されている各連通孔に対応する位置に調整孔が形成されている調整板が、前記仕切板の前記給水側空間部側に摺動自在に配置され、前記散水側空間部と給水側空間部とは、前記仕切板に形成されている連通孔と、前記調整板における前記仕切板の各連通孔に対応する位置に形成されている前記調整孔とを介して連通されている。【００２３】
その上で、前記調整板が、前記仕切板の前記給水側空間部側の面を摺動することにより、前記連通孔を介して給水側空間部から散水側空間部に向けて上水が通過する部分の総断面積の大きさが調整されるものである。【００２４】
かかる本発明のシャワーヘッドにおいて、前記調整板は、前記連通孔を介して給水側空間部から散水側空間部に向けて上水が通過する部分の総断面積の大きさを大きくする方向、あるいは小さくする方向に向けて常に付勢力を受けていると共に、前記調整板は、メーン送水口を介してヘッド本体部の空間部に供給される上水の流れに対して交差する方向に配備されている水量調整片を備えており、前記水量調整片にあたる前記上水の水圧に応じて、前記調整板が、前記付勢力に抗して、前記上水が通過する部分の総断面積の大きさを小さくする方向、あるいは大きくする方向に摺動するものとすることができる。【００２５】
また、以上に説明した本発明のいずれのシャワーヘッドにおいても、前記給水側空間部の容積の大きさが、散水側空間部の容積の大きさに対して２乃至３倍であって、前記メーン送水口の上水が通過する断面積の大きさを１００としたときに、前記連通孔を介して給水側空間部から散水側空間部に向けて上水が通過する部分の総断面積の大きさが３８〜４４、前記シャワー放水孔の上水が通過する総断面積の大きさが１２〜１６の関係であるようにすることができる。
【発明の効果】
【００２６】
この発明によれば、ヘッド本体部の空間部に、上部放水板と平行に仕切板を配置した形態のシャワーヘッドに改良を加え、シャワーヘッドに供給される上水の水圧が高い場合であっても、低い場合であっても、好ましい水圧、好ましい勢いで散水を行うことができると共に、節水を行なうことが可能なシャワーヘッドを提供することができる。
【発明を実施するための最良の形態】
【００２７】
以下、添付図面を参照して本発明の好ましい実施形態を説明する。【００２８】
図２（ａ）〜図６（ｃ）は、この発明のシャワーヘッドの好ましい実施例を説明するものである。図１（ａ）〜図１（ｃ）を用いて説明した従来のシャワーヘッドの構造と同一の部分には共通する符号を付けてその説明を省略する。【００２９】
図２（ａ）〜図６（ｂ）図示のこの発明のシャワーヘッドは、図１（ａ）〜図１（ｃ）図示の従来のシャワーヘッドと同じく、シャワーヘッド内部に空間部を備えていて上端側が上部放水板４によって閉鎖されているヘッド本体部２の空間部にメーン送水口１を介して上水を供給し、これを上部放水板４に形成されている複数のシャワー放水孔５を介して散水するものである。【００３０】
この発明のシャワーヘッドにおいては、シャワーヘッド内部に形成されている空間部が、仕切板１１によって散水側空間部１３ｂと、給水側空間部１３ａとに分割されている。【００３１】
散水側空間部１３ｂは、図３（ａ）、（ｂ）図示のように、上部放水板４の側に形成される。【００３２】
また、給水側空間部１３ａは、図３（ａ）、（ｂ）図示のように、メーン送水口１の側に形成される。【００３３】
この散水側空間部１３ｂと給水側空間部１３ａとは、仕切板１１に形成されている連通孔によって連通されている。連通孔は仕切板１１に少なくとも１個以上形成されている。図示の実施形態では、図２（ｂ）図示のように、２個の連通孔１２ａ、１２ｂによって散水側空間部１３ｂと給水側空間部１３ａとが連通されている。【００３４】
図示の実施形態では、中央にビス７貫通用の孔を有する仕切板１１の中央部１１ａが固定部６の上に載せられ、この上にパッキン１５を介して、上部放水板４が載せられて、ビス７で締め付け固定されている。これにより、仕切板１１は固定部６の上に固定され、上部放水板４はヘッド本体部２の散水側空間部１３ｂの上側に嵌合固定される。【００３５】
こうして、ヘッド本体部２の内部の空間部の上端側が上部放水板４によって閉鎖され、ヘッド本体部２の内部の空間部が、仕切板１１によって散水側空間部１３ｂと、給水側空間部１３ａとに分割されている。【００３６】
この発明のシャワーヘッドにおいては、調整板２１が、仕切板１１の給水側空間部１３ａの側に摺動自在に配置されている。【００３７】
この調整板２１には仕切板１１に形成されている各連通孔１２ａ、１２ｂに対応する位置に調整孔２２ａ、２２ｂが形成されている。【００３８】
図示の実施形態では、仕切板１１が２個の連通孔１２ａ、１２ｂを備えているので、調整板２１も、仕切板１１に形成されている連通孔１２ａ、１２ｂに対応する位置に２個の調整孔２２ａ、２２ｂを備えている。図示の実施形態では、調整孔２２ａの大きさは連通孔１２ａの大きさと等しく、調整孔２２ｂの大きさは連通孔１２ｂの大きさと等しい。【００３９】
また、図示の実施形態では、調整板２１は、調整孔２２ａ、２２ｂの他に、ガイド溝２６ａ、２６ｂ、２６ｃを備えている。そして、仕切板１１はその給水側空間部１３ａの側(図４（ａ）では左側)に、ガイド突起１６ａ、１６ｂ、１６ｃを備えている。【００４０】
調整孔２２ａ、２２ｂを連通孔１２ａ、１２ｂの位置に対応させ、仕切板１１のガイド突起１６ａ、１６ｂ、１６ｃを、調整板２１のガイド溝２６ａ、２６ｂ、２６ｃにそれぞれ圧入して、図５（ａ）、図５（ｃ）図示の状態とし、調整板２１を、仕切板１１の給水側空間部１３ａの側に摺動自在に配置している。【００４１】
これにより、図４（ａ）、図５（ｂ）図示のように、散水側空間部１３ｂと給水側空間部１３ａとは、仕切板１１に形成されている連通孔１２ａと、調整板２１における仕切板１１の連通孔１２ａに対応する位置に形成されている調整孔２２ａとを介して連通される。また、仕切板１１に形成されている連通孔１２ｂと、調整板２１における仕切板１１の連通孔１２ｂに対応する位置に形成されている調整孔２２ｂとを介して、散水側空間部１３ｂと給水側空間部１３ａとが連通される。【００４２】
そして、調整板２１が、仕切板１１の給水側空間部１３ａの側の面を摺動することにより、連通孔１２ａ、１２ｂを介して上水が給水側空間部１３ａから散水側空間部１３ｂに向けて通過する部分の総断面積の大きさが調整されるようになっている。【００４３】
例えば、図５（ａ）図示の状態から、調整板２１が図６（ａ）に矢印３１で示す方向に固定部６の周りを回転すると、散水側空間部１３ｂと給水側空間部１３ａとは、図６（ａ）、（ｃ）に符号３２ａで示す部分および、図６（ａ）に符号３２ｂで示す部分で連通することになる。【００４４】
すなわち、図５（ａ）図示の状態から、調整板２１が矢印３１で示す方向に固定部６の周りを回転して図６（ａ）図示の状態になることによって、連通孔１２ａ、１２ｂを介して上水が給水側空間部１３ａから散水側空間部１３ｂに向けて通過する部分の総断面積の大きさが、図５（ａ）図示の状態より小さくなる。【００４５】
逆に、図６（ａ）図示の状態から、調整板２１が図６（ａ）に矢印２５で示す方向に固定部６の周りを回転して図５（ａ）図示の状態になることによって、散水側空間部１３ｂと給水側空間部１３ａとは、図５（ａ）に符号１２ａ、２２ａで示す部分および、符号１２ｂ、２２ｂで示す部分で連通することになる。【００４６】
すなわち、調整板２１が矢印２５で示す方向に固定部６の周りを回転して図５（ａ）図示の状態になることによって、連通孔１２ａ、１２ｂを介して上水が給水側空間部１３ａから散水側空間部１３ｂに向けて通過する部分の総断面積の大きさが図６（ａ）図示の状態より大きくなる。【００４７】
これを、図５（ａ）、図６（ａ）〜図６（ｃ）を参照して更に詳しく説明する。【００４８】
図５（ａ）図示の状態では、連通孔１２ａの大きさと、調整孔２２ａの大きさとは同一であるので、図６（ｂ）に符号１２ａ及び符号２２ａで示される大きさの孔を介して上水が給水側空間部１３ａから散水側空間部１３ｂに向けて通過する。【００４９】
一方、整板２１が矢印３１で示す方向に固定部６の周りを回転して図６（ａ）図示の状態になると、連通孔１２ａの位置は変動しないので、図６（ｃ）に示すように、調整孔２２ａが矢印３１方向に移動し、図６（ｃ）に符号３２ａで示される大きさの孔を介して上水が給水側空間部１３ａから散水側空間部１３ｂに向けて通過する。【００５０】
そして、整板２１が矢印２５で示す方向に固定部６の周りを回転して図５（ａ）図示の状態にもどると、また、図６（ｂ）図示の状態になって、連通孔１２ａを介して上水が給水側空間部１３ａから散水側空間部１３ｂに向けて通過する部分の総断面積の大きさが、図６（ａ）、図６（ｃ）図示の状態よりは大きくなる。【００５１】
本発明のシャワーヘッドにおいて、調整板２１は、連通孔１２ａ、１２ｂを介して上水が給水側空間部１３ａから散水側空間部１３ｂに向けて通過する部分の総断面積の大きさを大きくする方向、あるいは小さくする方向に向けて常に付勢力を受けている。【００５２】
図示の実施形態では、調整板２１の給水側空間部１３ａの側に突設されている突起２３ａと、仕切板１１の給水側空間部１３ａの側に突設されている突起２３ｂとの間にバネ２９が張設されている。これによって、調整板２１の給水側空間部１３ａの側に突設されている突起２３ａは、常に、矢印２４（図５（ａ）、図６（ａ））方向に付勢され、調整板２１は、常に、矢印２５（図５（ａ）、図６（ａ））方向に付勢力を受けている。【００５３】
図示の実施形態では、メーン送水口１から矢印８方向に供給される上水の水圧の大きさが所定の水圧を超えない範囲では、バネ２９の張力によって、調整板２１は、常に、矢印２５（図５（ａ）、図６（ａ））方向に付勢力を受け、図５（ａ）図示の状態が維持される。すなわち、調整板２１は、連通孔１２ａ、１２ｂを介して上水が給水側空間部１３ａから散水側空間部１３ｂに向けて通過する部分の総断面積の大きさを大きくする方向に向けて常に付勢力を受けている。【００５４】
これは、ガイド突起１６ａ、１６ｂ、１６ｃ、ガイド溝２６ａ、２６ｂ、２６ｃ、連通孔１２ａ、１２ｂ、調整孔２２ａ、２２ｂの配置、その大きさ及び、バネ２９の張力を適宜に調整することによって実現されている。【００５５】
本発明のシャワーヘッドにおいては、調整板２１は、メーン送水口１を介してヘッド本体部の空間部に矢印８方向で供給される上水の流れに対して交差する方向に配備されている水量調整片２０（図５（ａ）、図６（ａ））を備えている。【００５６】
そして、水量調整片２０にあたる上水の水圧に応じて、調整板２１が、前記の付勢力に抗して、連通孔１２ａ、１２ｂを介して上水が給水側空間部１３ａから散水側空間部１３ｂに向けて通過する部分の総断面積の大きさを小さくする方向、あるいは大きくする方向に摺動するようになっている。【００５７】
図示の実施形態においては、図５（ａ）、図５（ｃ）、図６（ａ）図示のように、調整板２１の給水側空間部１３ａの面であって、メーン送水口１に臨む側に、矢印８で示される上水の流れに対して交差するように、水量調整片２０が配備されている。【００５８】
このように、水量調整片２０が、矢印８で示される上水の流れに対して交差するように配備されているので、水量調整片２０に矢印８方向からあたる上水の水圧に応じて、調整板２１は、バネ２９による矢印２５方向の付勢力に抗して、矢印３１方向に、固定部６の周りを回転するようになっている。【００５９】
これにより、図示の実施形態では、水量調整片２０にあたる上水の水圧に応じて、調整板２１が、バネ２９による矢印２５方向の付勢力に抗して、連通孔１２ａ、１２ｂを介して上水が給水側空間部１３ａから散水側空間部１３ｂに向けて通過する部分の総断面積の大きさを小さくする方向（図６（ａ）中、矢印３１の方向）に移動する。【００６０】
すなわち、水量調整片２０が、図６（ａ）図示のように、メーン送水口１を介してヘッド本体部の空間部に供給される上水の流れに対して交差する方向に調整板２１に配備されているので、メーン送水口１を矢印８方向に供給されてくる上水は、図６（ａ）に矢印３０で示す方向に流れの向きを変えて、給水側空間部１３ａ内に流入していく。【００６１】
そこで、メーン送水口１から矢印８方向に示す上水の水圧の大きさが、バネ２９による矢印２４（図５（ａ））方向の張力に打ち勝つようになると、調整板２１は矢印２５方向の付勢力に抗して、矢印３１（図６（ａ））方向に移動を始める。【００６２】
これによって、連通孔１２ａ、１２ｂを介して上水が給水側空間部１３ａから散水側空間部１３ｂに向けて通過する部分の総断面積の大きさは、図５（ａ）に符号１２ａ、２２ａで示す大きさ及び、符号１２ｂ、２２ｂで示す大きさから、図６（ａ）に符号３２ａ、３２ｂで示す大きさに減少する。【００６３】
こうして、メーン送水口１からの水圧が大きくなっても、バネ２９の張力を所定の大きさに設定しておくことによって、希望する水圧、希望する水の勢い、水量で、給水側空間部１３ａから、散水側空間部１３ｂ内に上水が供給される。そして、散水側空間部１３ｂを介して、希望する水圧、希望する水の勢いでシャワー放水孔５から散水されていく。【００６４】
これによって、人がシャワーを使用するときに、肌にあたるのに良好な水圧、良好な水の勢いで散水を行ったり、シャワーによって洗浄などを行なう際に良好な水圧、良好な水の勢いで散水を行う、等々、使用目的に応じて、好ましい水圧、水の勢いでシャワーを使用できる。【００６５】
一方、メーン送水口１から矢印８方向に示す上水の水圧の大きさが、バネ２９による矢印２４（図５（ａ））方向の張力を超えない範囲では、図５（ａ）図示の状態が維持される。これによって、希望する水量、希望する水圧で給水側空間部１３ａから、散水側空間部１３ｂ内に上水が供給される。そして、散水側空間部１３ｂを介して、好ましい水圧、好ましい水の勢いでシャワー放水孔５から散水されていく
また、いったん、図６（ａ）図示の状態になった後であっても、メーン送水口１から矢印８方向に供給される上水の水圧が小さくなるにつれて、バネ２９の張力と当該水圧との関係で調整されて、調整板２１は矢印２５方向（図５（ａ））に移動し、好ましい水圧、好ましい水の勢いで給水側空間部１３ａから、散水側空間部１３ｂ内に上水が供給される。そして、散水側空間部１３ｂを介して、好ましい水圧、好ましい水の勢いでシャワー放水孔５から散水されていく。【００６６】
こうして、たとえ高い水圧で上水が供給されても、連通孔１２ａ、１２ｂを介して上水が給水側空間部１３ａから散水側空間部１３ｂに向けて通過する部分の総断面積の大きさが図５（ａ）に示す大きさから、図６（ａ）に示す大きさに自動的に減少して、常に、好ましい水圧、好ましい水の勢いで散水することが可能になる。【００６７】
一方、図６（ａ）に示されている水圧が高い状態から、水圧が低くなるにつれて、連通孔１２ａ、１２ｂを介して上水が給水側空間部１３ａから散水側空間部１３ｂに向けて通過する部分の総断面積の大きさが図６（ａ）に示す大きさから、図５（ａ）に示す大きさに向けて自動的に増大し、常に、好ましい水圧、好ましい水の勢いで散水することが可能になる。【００６８】
これによって、常に、好ましい水圧、好ましい水の勢いで給水側空間部１３ａから、散水側空間部１３ｂ内に上水を供給するようにし、大幅な節水を図りつつ、シャワー利用者の満足度を高めたり、目的とする洗浄などの効果をあげることができる。【００６９】
特に、より水圧の高いところでシャワーヘッドが使用されるようになったときであっても、大幅な節水を図りつつ、好ましい水圧、好ましい水の勢いで散水し、シャワー利用者の満足度を高めたり、目的とする洗浄などの効果をあげることができる。【００７０】
本発明のシャワーヘッドにおいては、給水側空間部１３ａの容積の大きさと、散水側空間部１３ｂの容積の大きさとの関係は１：２乃至３になっている。【００７１】
また、メーン送水口１の上水が通過する断面積の大きさを１００としたときに、連通孔１２ａ、１２ｂを介して上水が給水側空間部１３ａから散水側空間部１３ｂに向けて通過する部分の総断面積の大きさが３８〜４４、シャワー放水孔５の上水が通過する総断面積の大きさが１２〜１６の関係になるようにしている。【００７２】
図示の実施形態では、連通孔は符号１２ａ、１２ｂで示す２個存在しており、メーン送水口１の上水が通過する断面積の大きさを１００としたときに、この２個の連通孔１２ａ、１２ｂの上水が通過する総断面積の大きさが３８〜４４になっている。また、図６（ａ）に符号３２ａ、３２ｂで示す上水が通過する総断面積の大きさも３８〜４４になっている。【００７３】
図示の実施形態では、シャワー放水孔５は、図２（ａ）図示のように、一番外側に１６個、一番内側に５個、この間に９個、合計で３０個形成されている。メーン送水口１の上水が通過する断面積の大きさを１００としたときに、この３０個のシャワー放水孔５の上水が通過する総断面積の大きさは１２〜１６になっている。【００７４】
メーン送水口１に直結している給水側空間部１３ａの容積を散水側空間部１３ｂの容積の２乃至３倍にすると共に、メーン送水口１、連通孔１２ａ、１２ｂ、シャワー放水孔５の上水が通過する総断面積の大きさを前述した関係にすることによって、本発明のシャワーヘッドの基本的な作動状態、例えば、図５（ａ）に図示されている状態であって、メーン送水口１から矢印８方向に示す上水の水圧の大きさが、バネ２９による矢印２４（図５（ａ））方向の張力を超えない範囲にあるときであっても、散水側空間部１３ｂに上水が満たされている状態にして、好ましい水圧、水の勢いで散水することが可能になる。【００７５】
こうして、メーン送水口１から矢印８方向に示す上水の水圧が高い場合であっても、低い場合であっても、大幅な節水を図りつつ、シャワー利用者の満足度を高め、目的とする洗浄効果を得ることができる。【００７６】
本願発明者は、前述した給水側空間部１３ａの容積の大きさと、散水側空間部１３ｂの容積の大きさとの関係、メーン送水口１の上水が通過する断面積に対する、連通孔１２ａ、１２ｂの上水が通過する総断面積の大きさ及び、シャワー放水孔５の上水が通過する総断面積の大きさの関係を有する本発明のシャワーヘッドを用いて、高層建築のホテルの上層階、低層階において実験を行ってみた。その結果、上層階、低層階のいずれにおいても、好ましい水の勢いで散水することができ、シャワー利用者の良好な満足度を得ることができることを確認できた。【００７７】
そして、この場合に使用した水量を測定したところ、図１（ａ）、（ｂ）図示の従来のシャワーヘッドの場合に比較して、上層階、低層階とも５０％前後、使用水量を減らすことが可能であった。【００７８】
（比較試験例）
図２（ａ）〜図６（ｃ）図示の本発明のシャワーヘッドについて、具体的に次のような大きさのものを準備した。【００７９】
（バネ２９の張力）
一般に、快適にシャワーを使用できる水圧は０．２ＭＰａ〜０．３ＭＰａであるといわれている。そこで、メーン送水口１から矢印８方向に示す上水の水圧の大きさが０．３ＭＰａを越えるときにバネ２９による矢印２４（図５（ａ））方向の張力に打ち勝つようになる張力のバネ２９を採用した。【００８０】
（給水側空間部１３ａの容積と、散水側空間部１３ｂの容積）
給水側空間部１３ａの容積の大きさを、散水側空間部１３ｂの容積の大きさの３倍にした。【００８１】
（メーン送水口１、連通孔、シャワー放水孔の大きさ）
メーン送水口１：１０φ×１個  総断面積：７８．５ｍｍ２
連通孔１２ａ、１２ｂ：２個  総断面積：３２．１ｍｍ２
シャワー放水孔５：０．７φ×２８個  総断面積：１０．８ｍｍ２
断面積比＝メーン送水口：連通孔の総断面積：シャワー放水孔の総断面積＝１００：４１：１４。【００８２】
一方、比較対象として、図１（ａ）、（ｂ）図示の従来のシャワーヘッドを使用した。メーン送水口：１０φ×１個  総断面積：７８．５ｍｍ２、シャワー放水孔：０．７φ×６１個  総断面積：２３．４６ｍｍ２であった。【００８３】
前記の本発明のシャワーヘッドと、従来のシャワーヘッドとを、それぞれ、同一の水道につないで実験したところ、以下の表１結果を得た。
【表１】
2009028021.tif 000003
【００８４】
以上の比較試験の結果、本発明のシャワーヘッドによれば、出口速度、水平方向到達距離の結果に示されているように、好ましい水圧、水の勢いで散水することが可能であった。また、節水率４８％と従来のシャワーヘッドに比較して大幅な節水を図りつつ、シャワー利用者の満足度を高めることができることを確認できた。【００８５】
以上、本発明の好ましい実施形態について添付図面を参照して説明したが、本発明はかかる実施形態に限定されるものではなく、特許請求の範囲の記載から把握される技術的範囲において種々の形態に変更可能である。【００８６】
例えば、調整板２１に対して、連通孔１２ａ、１２ｂの上水が通過する総断面積の大きさを大きくする方向、あるいは小さくする方向に向けて常に付勢力を与える機構としては、図示し、説明した機構に限らず、板バネ構造を使用する等、種々の構造、機構を採用することが可能である。【００８７】
また、調整板２１が仕切板１１の給水側空間部１３ａの側に摺動自在に配置されている構造、機構、調整板２１が仕切板１１の給水側空間部１３ａの側の面を摺動することにより、連通孔１２ａ、１２ｂの上水が通過する総断面積の大きさを調整する機構、水量調整片２０にあたる上水の水圧に応じて調整板２１が前記の付勢力に抗して連通孔１２ａ、１２ｂの上水が通過する総断面積の大きさを小さくする方向あるいは大きくする方向に摺動する機構などについても、図示し、説明した機構に限らず、種々の構造、機構を採用することが可能である。
【産業上の利用可能性】
【００８８】
本発明のシャワーヘッドはメーン送水口を介してシャワーヘッドのヘッド本体部内に供給される上水の水圧の多寡にかかわらず、好ましい水圧、好ましい水の勢いで、なおかつ高い節水効率を達成しながら散水することができる。【００８９】
そこで、本発明のシャワーヘッドは個人住宅で使用されるシャワーのみならず、高層建築のホテル、マンションなどの集合住宅、プール、スポーツジムなど、一箇所に集中して大規模に使用されるシャワーなどに広く使用することができる。【００９０】
更に、シャワー放水孔から散水して汚れを除去する場合になどにも使用できるので、前述したような家庭用、業務用だけでなく、物品の洗浄、汚れ・汚染の除去、など、農業用、漁業用、工業用などに広く使用することができる。
【図面の簡単な説明】
【００９１】
【図１】（ａ）従来のシャワーヘッドを上部放水板の側から見た平面図、（ｂ）図１（ａ）を縦方向に断面して内部構造を説明する図、（ｃ）図１（ａ）を横方向に断面して内部構造を説明する図。
【図２】（ａ）本発明のシャワーヘッドを上部放水板の側から見た平面図、（ｂ）図２（ａ）図示の状態から上部放水板をはずして内部構造を説明する平面図。
【図３】（ａ）図２（ａ）図示のシャワーヘッドを縦方向に断面して内部構造を説明する一部を省略した図、（ｂ）図２（ａ）図示のシャワーヘッドを横方向に断面して内部構造を説明する一部を省略した図。
【図４】（ａ）本発明のシャワーヘッドを縦方向に断面して内部構造を説明する図、（ｂ）本発明のシャワーヘッドを横方向に断面して内部構造を説明する図。
【図５】（ａ）本発明のシャワーヘッドの内部構造を給水側空間部の側から見て説明する、（ｂ）図５（ａ）図示の本発明のシャワーヘッドにおいて連通孔と調整孔とにより給水側空間部と散水側空間部とを連通する状態を説明する図、（ｃ）図５（ａ）図示の実施例において調整板が仕切板の給水側空間部の側に摺動自在に配置される構造の一例を説明する図。
【図６】（ａ）本発明のシャワーヘッドにおいて調整板が摺動して連通孔の上水が通過する総断面積の大きさが小さくなった状態を説明する図、（ｂ）（ｃ）は、調整板の摺動により上水が通過する部分の総断面積の大きさが調整される状態を説明する図。
【符号の説明】
【００９２】
１  メーン送水口
２  ヘッド本体部
３  ヘッド本体部の内部の空間部
４  上部放水板
５  シャワー放水孔
１１  仕切板
１３ｂ  散水側空間部
１３ａ  給水側空間部
１２ａ、１２ｂ  連通孔
２２ａ、２２ｂ  調整孔
２１  調整板
２６ａ、２６ｂ、２６ｃ  ガイド溝
１６ａ、１６ｂ、１６ｃ  ガイド突起
２９  バネ
２０  水量調整片
【図１】
2009028021.tif 000004
【図２】
2009028021.tif 000005
【図３】
2009028021.tif 000006
【図４】
2009028021.tif 000007
【図５】
2009028021.tif 000008
【図６】
2009028021.tif 000009
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
内部に空間部を備えていて上端側が上部放水板によって閉鎖されているヘッド本体部の前記空間部にメーン送水口を介して上水を供給し、これを前記上部放水板に形成されている複数のシャワー放水孔を介して散水するシャワーヘッドであって、
少なくとも１個以上の連通孔を有する仕切板によって前記空間部が、前記上部放水板側に形成される散水側空間部と、前記メーン送水口側に形成される給水側空間部とに分割され、
前記仕切板に形成されている各連通孔に対応する位置に調整孔が形成されている調整板が、前記仕切板の前記給水側空間部側に摺動自在に配置され、
前記散水側空間部と給水側空間部とは、前記仕切板に形成されている連通孔と、前記調整板における前記仕切板の各連通孔に対応する位置に形成されている前記調整孔とを介して連通され、
前記調整板が前記仕切板の前記給水側空間部側の面を摺動することにより、前記連通孔を介して給水側空間部から散水側空間部に向けて上水が通過する部分の総断面積の大きさが調整されるシャワーヘッドにおいて、
前記調整板は、前記連通孔を介して給水側空間部から散水側空間部に向けて上水が通過する部分の総断面積の大きさを大きくする方向、あるいは小さくする方向に向けて常に付勢力を受けていると共に、
前記調整板は、メーン送水口を介してヘッド本体部の空間部に供給される上水の流れに対して交差する方向に配備されている水量調整片を備えており、
前記水量調整片にあたる前記上水の水圧に応じて、前記調整板が、前記付勢力に抗して、前記上水が通過する部分の総断面積の大きさを小さくする方向、あるいは大きくする方向に摺動する
ことを特徴とするシャワーヘッド。
【国際調査報告】
2009028021.tif 000010
2009028021.tif 000011
2009028021.tif 000012
2009028021.tif 000013